(57)【特許請求の範囲】
【請求項１】
インク滴を記録紙に噴射して画像を記録するインクジェット記録方法であって、画像読取装置により記録紙の画像を読み込み、読込済みの画像が非可視化する必要があるものか必要のないものかを判断し、該画像が、非可視化する必要のある記録紙面上の汚れあるいは記録面に裏抜けした裏面の画像であると認識した場合、前記記録紙と類似色の材料を含有する非可視化用処理液を該画像部分に付与せしめ非可視化し、インク滴を噴射し画像を記録することを特徴とするインクジェット記録方法。
【請求項２】
前記読込み画像が、前記記録紙上にあらかじめ設けられている書式フォームである場合、その書式フォームに従い該記録媒体へインク滴を噴射し画像を記録することを特徴とする請求項１記載のインクジェット記録方法。
【発明の詳細な説明】
【０００１】
【発明の属する技術分野】
本発明はインクジェット記録方法及びインクジェット記録装置及び処理液に関し、特にインクが裏抜けしやすい普通紙で裏抜けのない両面コピー画像を記録可能なインクジェット記録方法及びインクジェット記録装置及び処理液に関する。また、原理上、汚れた紙でも汚れのない画質とすることができるインクジェット記録技術に関する。
さらに本発明の記録方法は記録媒体上の画像情報を読み取り、それに応じてその記録媒体自身に新たに画像を印写するものであり、読み取った記録媒体上の画像情報が定められた特定のパターン（例えば特定の書式フォーム（枠などで記入済み）あるいはどのような情報をこれから書き込むかの命令を記号化したもの）である場合、画像読取装置でその位置、書式情報を読み取りながらその命令に応じて画像処理を行ない印写を行なう方法を提示するものである。その場合は書式の非可視化は行なわないので単なる汚れか定められた書式かを判断する手段を講じる。
【０００２】
【従来の技術】
インクジェット記録方法としては、従来より様々な方法が提案されている。
最近の動向としては、特にコピー用紙や再生紙も含む一般的に普通紙と呼ばれる用紙に印刷した際の品質が重要視されている。普通紙印刷に要求される品質は、一方では印刷物が高画像品質（フェザリングがないこと）・高発色であるということであり、また他方では、複数色の記録インクが抵触することによって生じるにじみ（すなわち、カラーブリード）がないことである。また、画像の耐水性、耐光性、耐ガス性も当然要求される。
【０００３】
しかし、それ以上にインクジェットの最大の欠点は裏抜けが大きいことである。裏抜けとは、ここでは普通紙などにおいて表の画像が裏側から認識できる場合を意味する。必ずしも着色剤が裏に抜けた場合のみでなく裏から表の画像が透けてみえる場合も含める。また、そのときの裏面で測定した画像濃度を裏面濃度と呼ぶ。
そこで、あらかじめ記録媒体を処理する目的で記録媒体に処理液を先塗りあるいは先打ちする方法が提案されている（特開昭６３−２９３０６４号公報、特開昭６３−２９９９７１号公報（特許登録第２６６７４０１号）、特開昭６３−２９９９７２号公報（特許登録第２６７５００１号）、特開平１−６９３８１号公報（特許登録第２７１１０９８号）等参照）。
しかしながら、このような処理液を着色インク付着部に印写するだけでは裏抜け低減を満足させるのは困難であった。
【０００４】
一方、特開平９−１９１３６４号公報、あるいは特開２００１−３０５４４号公報等には、画像読取装置を設けたインクジェット記録装置が提案されている。これらは主にこれからコピーするための記録原稿を読み取る目的で設置されているものである。本発明のようなこれから印写しようとする記録媒体自身の不要画像情報あるいは命令文を読み取りそれに応じて印写パターンを決めるものではない。
【０００５】
【発明が解決しようとする課題】
本発明の課題は、前述の特性を改良して、特に普通紙でも裏面濃度を低減させ両面コピーを可能とするインクジェット記録方法を提供することにあり、また、両面コピーをしない場合にも記録媒体に汚れあるいは不必要な画像部がある場合にその汚れあるいは不必要な画像部を目立たなくすることを可能にするインクジェット記録方法及び装置及び処理液を提供することである。また、これから印写する記録媒体自身に特定の命令をもたせ、それに応じて印写する方法及び装置を提供することである。
【０００６】
【課題を解決するための手段】
本発明者らは、上記課題を、インクジェットプリンタに画像読取装置を設け、記録媒体自体の記録面の記録前の画像すなわち記録面の汚れや裏面画像（すでに裏がコピーされている場合）の裏抜け部を検知し、そこの部分を見えにくくする手段を講じることにより解決した。また、記録媒体自身に定められた命令画像をもたせ、それに応じて印写する方法を画像読取装置付き印写機により可能にした。
【０００７】
すなわち、上記課題は、本発明の（１）「インク滴を記録紙に噴射して画像を記録するインクジェット記録方法であって、画像読取装置により記録紙の画像を読み込み、読込済みの画像が非可視化する必要があるものか必要のないものかを判断し、該画像が、非可視化する必要のある記録紙面上の汚れあるいは記録面に裏抜けした裏面の画像であると認識した場合、前記記録紙と類似色の材料を含有する非可視化用処理液を該画像部分に付与せしめ非可視化し、インク滴を噴射し画像を記録することを特徴とするインクジェット記録方法」、（２）「前記読込み画像が、前記記録紙上にあらかじめ設けられている書式フォームである場合、その書式フォームに従い該記録媒体へインク滴を噴射し画像を記録することを特徴とする前記第（１）項に記載のインクジェット記録方法」によって達成される。
【０００９】
【発明の実施の形態】
以下、本発明の実施の形態を図面を参照して説明する。
図１及び図２は、本発明に係るインクジェット記録装置の概略構成図である。
図１及び図２に記載のインクジェット記録装置は、左右の側板（１）、（２）間に横架したガイドロッド（３）とガイド板（４）とでキャリッジ（５）を主走査方向（図２の矢示Ａ方向）に摺動自在に保持し、キャリッジ（５）の下面側にはインクジェットヘッドからなる記録ヘッド（６）をインク滴吐出方向を下方に向けて装着し、キャリッジ（５）の上面側には記録ヘッド（６）に各色のインクおよび非可視化処理液を供給するためのインクタンク（インクカートリッジ）（７）を装着している。
これに先だって、画像記録装置（Ｙ）が設置され、画像を読み取りそれに従って処理液を印写する。往復印写する場合はインクヘッドの両側に読取装置を設けてもよい。
【００１０】
記録ヘッド（６）は、図３に示すように、非可視化用処理液（Ｕ）を吐出するヘッド（６ｕ）、イエロー（Ｙ）のインクを吐出するヘッド（６ｙ）、マゼンタ（Ｍ）のインクを吐出するヘッド（６ｍ）、シアン（Ｃ）のインクを吐出するヘッド（６ｃ）及びブラック（Ｋ）のインクを吐出するヘッド（６ｂ）を主走査方向に配置したものである。なお、ヘッドの配置の順序は、まず非可視化処理液を付与した後に着色インクを付与する。
したがって、読取装置側に非可視化用処理液ヘッドを設け、次に着色インクを付与するのが通常である。カラー着色インクの印写順序は目的に応じて変化させてよい。なお、ここでは読取装置部とヘッドを分離させて書いてあるが、同一キャリッジに接触させた状態で設置してもよい。
また別に、画像読取装置用のガイドロッドを設け、インク印写の主走査よりも先だって画像を読み取る方式でもよい。
ここで画像読取装置は記録媒体に照明をあててその反射した光をレンズを通して画像読取素子で読み取るものである。
【００１１】
ここで、各ヘッド（６ｕ）,（６ｙ），（６ｍ），（６ｃ），（６ｂ）は、図４に示すように、液室（１０）を形成する液室形成部材（１１）の前面に複数の記録ノズル（８）を形成したノズル形成部材（１２）が設けられ、図示しない圧電素子、気泡発生用ヒータ等のエネルギー発生手段によって液室（１０）内のインクに圧力を与えることによって、液室（１０）内のインクがノズル形成部材（１２）の記録ノズル（８）からインク滴（１３）となって飛翔して記録媒体（以下、「用紙」という）にドットとして着弾付着する。このとき、各液室（１０）に圧力を与えるエネルギー発生手段を選択的に駆動することによって所望の画像を印写することができる。
【００１２】
図１及び図２に戻って、キャリッジ（５）は、ステッピングモータからなる主走査モータ（１５）で回転される駆動プーリ（１６）と従動プーリ（１７）との間に張装したタイミングベルト（１８）に連結して、主走査モータ（１５）を駆動制御することによってキャリッジ（５）、即ち記録ヘッド（６）が主走査方向に移動されるようにしている。
【００１３】
一方、用紙（２０）を副走査方向（図２の矢示Ｂ方向）に搬送するためにプラテンローラ（以下、単に「プラテン」という）（２１）と、プラテン（２１）の周面に押し付けて配設した給紙ローラ（２２），（２３）及び用紙送り角を規定するピンチローラ（２４）と、記録ヘッド（６）が対向するガイド板（２５）と、記録ヘッド（６）より用紙搬送方向下流側の排紙ローラ（２６）及びこの排紙ローラ（２６）に押し付けられて当接する用紙押え用拍車ローラ（２７）とを備えている。
そして、ステッピングモータからなる副走査モータ（２８）の回転をギヤ（２９），（３０），（３１）及びプラテンギヤ（３２）を介してプラテン（２１）に伝達して、プラテン（２１）を回転駆動することによって給紙部（３３）に収納した用紙（２０）をプラテン（２１）と給紙ローラ（２２），（２３）及びピンチローラ（２４）を経て、記録ヘッド（６）とガイド板（２５）との間に送り込み、プラテン（２１）で用紙（２０）を副走査方向に移動させながら、プラテンギヤ（３２）に噛み合うギヤ（３４）を介して回転される排紙ローラ（２６）及び用紙押え用拍車ローラ（２７）で用紙（２０）を排紙方向（図２の矢示Ｂ方向）に送り出す。
【００１４】
このように構成したこの記録装置では、記録ヘッド（６）（キャリッジ（５））を主走査方向に移動走査させながら、用紙（２０）を副走査方向に搬送して、記録ヘッド（６）各ヘッド（６ｙ），（６ｍ），（６ｃ），（６ｂ）の各ノズル（８）から所要の色のインク滴を吐出させることによって、用紙（２０）上に所要のカラー画像（黒画像を含む）を記録する。また同様に非可視化処理液が吐出される。
【００１５】
また、この記録装置においては、キャリッジ（５）の主走査領域の右側部分に、記録ヘッド（６）の信頼性維持回復機構（サブシステム）（３５）を配設し、印字待機状態にあるとき、ホスト側から所定時間印刷データが転送されないとき、或いは予め定めた時間間隔などで、記録ヘッド（６）のノズル面やノズルの汚れを除去するなどの信頼性維持回復動作を行なう。
なお、信頼性維持回復機構（３５）は読取装置のあるのと逆側（左側）に設置してもよい。
【００１６】
次に、このインクジェット記録装置の制御部の概要について図５を参照して説明する。
この制御部は、この記録装置全体の制御を司るマイクロコンピュータ（以下、「ＣＰＵ」と称する）（４０）と、画像データに対する色補正、二値化等の画像処理に必要な情報等の各種固定情報及び／又は各種処理プログラムを格納したＲＯＭ（４１）と、ワーキングメモリ等として使用するＲＡＭ（４２）と、パラレル入出力（ＰＩＯ）ポート（４３）と、入力バッファ（４４）と、キャラクタジェネレータ（４５）と、改行カウンタ（４６）と、ダイレクトメモリアクセスコントローラ（ＤＭＡＣ）（４７）と、１ライン出力バッファ（４８）と、パラレル入出力（ＰＩＯ）ポート（４９）とを備えている。
【００１７】
そして、この制御部は、記録ヘッド（６）の各ヘッド（６ｕ）,（６ｙ），（６ｍ），（６ｃ），（６ｂ）の各エネルギー発生手段に対して駆動波形を印加する共通（Ｃｏｍ）ドライバ（５０）と、記録ヘッド（６）の各ヘッド（６ｕ）,（６ｙ），（６ｍ），（６ｃ），（６ｂ）のエネルギー発生手段を記録信号に応じて選択する選択信号を与えるドライバ（５１）と、主走査モータ（１５）及び副走査モータ（２８）を各々駆動制御するモータドライバ（５２）等を備えて、各部に所要の信号を出力すると共に、操作パネル（オペレーションパネル）（５３）が接続されている。なお、パラレル入出力ポート（ＰＩＯ）（４９）に代えてゲートアレー（ＧＡ）を用いることもできる。
【００１８】
ここで、ＰＩＯ（４３）には操作パネル（５３）から与えられる各種の指示、選択信号が入力されると共に、ＰＩＯ（４３）から操作パネル（５３）に対して各種の表示信号等が出力される。また、ＰＩＯ（４３）にはホスト側からの画像データ、用紙の種別を示す用紙種別データ及びその他のデータが入力され、ＰＩＯ（４３）を介してホスト側に各種の信号を出力する。さらに、ＰＩＯ（４３）には、用紙の始端、終端を検知する紙有無センサからの検知信号、キャリッジ（５）のホームポジション（基準位置）を検知するホームポジションセンサ等の各種センサからの信号等が入力される。
【００１９】
また、入力バッファ（４４）は、ＰＩＯ（４３）を介して受信するホスト側からの印字データを一次格納する。キャラクタジェネレータ（４５）は、印写データをコードデータで受信した場合にイメージデータに変換する。改行カウンタ（４６）は、改行数をカウントする。ＤＭＡＣ（４７）は、入力バッファ（４４）に一次蓄積している印写データを読出して、必要であれば、キャラクタジェネレータ（４５）でイメージデータに変換させて、１ライン分の印字データを出力バッファ（４８）に転送させる等の処理をする。
【００２０】
さらに、出力バッファ（４８）に蓄積された記録データは所要のタイミングで読み出されてＰＩＯ（４９）に印写信号として送出され、ＰＩＯ（４９）からドライバ（５１）に与えられて、ドライバ（５１）からドライブ信号（選択信号）として記録ヘッド（６）に送出する。また、ＰＩＯ（４９）を介してモータドライバ（５２）に対して駆動制御信号を出力して、キャリッジ（５）を主走査方向の移動走査し、プラテン（２１）を回転させて用紙（２０）を所定量搬送させる。なお、記録媒体自身の画像読み取り後にその情報に従いプリントするわけであるが、紙面上の画像が単なる汚れあるいは裏抜けかあるいは書式など特定の命令文かを判断し、それに応じて非可視化するか書式に応じた印刷を行なうかを判断し実行する制御も設ける（図８参照）。
【００２１】
次に、このインクジェット記録装置の作用について図６、図７を参照して説明する。
先ず、図６を参照して本発明に係るインクジェット記録方法について説明すると、本発明に係るインクジェット記録方法では、非可視化用処理液により画像読取部で読み取った記録面の裏抜けあるいは汚れ部を目立たなくさせる。また、この処理液はこれから印写する画像部分に付与するとフェザリング、にじみ、ブリードの少ない高画質を得る。
なお、画像読取装置は、ラインセンサを設け、副走査に追随して読み込んでもよい。
なお、画像読み取りにより紙面上の既記録画像が汚れではなく書式命令と判断される場合には非可視化処理は行なわず書式に対応した画像を印写する。
このような判断は例えば、公知の二値化画像の画像認識法、例えば非限定的に例示すれば、画像中の各種雑音の認識手法、例えば濃度ヒストグラム、色調ヒストグラム、位置ヒストグラム等に基くしきい値選択法等により実行することができ、かつ、この判断に用いられる画像データは、無論必須ではないが、その後の記録媒体処理のためのデータとしても所望により用いることができる。
【００２２】
なお、両面コピーを一度に行なうには、図７に示すように用紙の搬送路を挟んで２組の記録ヘッドを備え、表裏面に同時に各印写データを印写するすることもできる。
なお、ここでスキャナは本来の目的である原稿読み取りに使用してもよい。
【００２３】
次に、各種材料について説明する。
まず、本発明で使用可能な着色剤を含むインクについて説明する。
本発明に用いる着色インク用着色剤に関しては、特にその種類を限定することなく、一般的な染料及び顔料が使用可能であり、酸性染料、直接染料、反応性染料、塩基性染料が使用できる。
染料の具体例としては、以下のものが挙げられるが、本発明はこれらに限定されるものではない。
【００２４】
酸性染料、食用染料としては以下のものが挙げられる。
Ｃ．Ｉ．アシッドイエロー  １７，２３，４２，４４，７９，１４２、
Ｃ．Ｉ．アシッドレッド  １，８，１３，１４，１８，２６，２７，３５，３７，４２，５２，８２、８７，８９，９２，９７，１０６，１１１，１１４，１１５，１３４，１８６，２４９，２５４，２８９、
Ｃ．Ｉ．アシッドブルー  ９，２９，４５，９２，２４９、
Ｃ．Ｉ．アシッドブラック  １，２，７，２４，２６，９４、
Ｃ．Ｉ．フードイエロー  ３，４、
Ｃ．Ｉ．フードレッド  ７，９，１４、
Ｃ．Ｉ．フードブラック  １，２、
【００２５】
直接性染料としては以下のものが挙げられる。
Ｃ．Ｉ．ダイレクトイエロー  １，１２，２４，２６，３３，４４，５０，８６，１２０，１３２，１４２，１４４、
Ｃ．Ｉ．ダイレクトレッド  １，４，９，１３，１７，２０，２８，３１，３９，８０，８１，８３，８９，２２５，２２７、
Ｃ．Ｉ．ダイレクトオレンジ  ２６，２９，６２，１０２、
Ｃ．Ｉ．ダイレクトブルー  １，２，６，１５，２２，２５，７１，７６，７９，８６，８７，９０，９８，１６３，１６５，１９９，２０２、
Ｃ．Ｉ．ダイレクトブラック  １９，２２，３２，３８，５１，５６，７１，７４，７５，７７，１５４，１６８，１７１、
【００２６】
塩基性染料としては以下のものが挙げられる。
Ｃ．Ｉ．ベーシックイエロー  １，２，１１，１３，１４，１５，１９，２１，２３，２４，２５，２８，２９，３２，３６，４０，４１，４５，４９，５１，５３，６３，６４，６５，６７，７０，７３，７７，８７，９１、
Ｃ．Ｉ．ベーシックレッド  ２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２、
Ｃ．Ｉ．べ−シックブルー  １，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５、
Ｃ．Ｉ．ベーシックブラック  ２，８、
【００２７】
反応性染料としては以下のものが挙げられる。
Ｃ．Ｉ．リアクティブブラック  ３，４，７，１１，１２，１７、
Ｃ．Ｉ．リアクティブイエロー  １，５，１１，１３，１４，２０，２１，２２，２５，４０，４７，５１，５５，６５，６７、
Ｃ．Ｉ．リアクティブレッド  １，１４，１７，２５，２６，３２，３７，４４，４６，５５，６０，６６，７４，７９，９６，９７，１４１、
Ｃ．Ｉ．リアクティブブルー  １，２，７，１４，１５，２３，３２，３５，３８，４１，６３，８０，９５、
なかでも特に酸性染料および直接性染料が好ましく用いられる。
【００２８】
顔料としては特に限定はないが、通常のインクジェット用の顔料インクが用いられる。
顔料表面に親水基を付与した自己分散性の顔料、あるいは顔料を水溶性樹脂あるいは界面活性剤により分散したインク、あるいはポリマー微粒子に水不溶性または難溶性の色材を含有させてなるポリマーエマルジョン型のインクジェット用顔料インク、あるいは顔料を親水性基を有する樹脂で被服したマイクロカプセル型の顔料インクが使用可能である。
【００２９】
着色剤を含有するインク中には、液状湿潤剤が添加される。
液状湿潤剤とは、常温で液体状の湿潤剤であり、特には高沸点低揮発性の水溶性有機溶媒（例えば、沸点が２００℃以上の水溶性有機溶媒）を用いることができる。水溶性有機溶媒としては、例えば、多価アルコール類、特には、炭素数２〜１０の２価〜５価アルコール類；含窒素炭化水素溶媒、例えば、ホルムアミド類、イミダゾリジノン類、ピロリドン類、あるいはアミン類；含硫黄炭化水素溶媒を挙げることができ、それらの溶媒を１種又はそれ以上組み合わせて用いることができる。
【００３０】
本発明の使用可能なインク組成物は水を液媒体として使用するものであるが、インクを所望の物性にするため、インクの乾燥を防止するため、また、溶解安定性を向上するため等の目的で、例えば下記の水溶性有機溶媒が使用される。これら水溶性有機溶媒は複数混合して使用してもよい。
【００３１】
好ましい水溶性高沸点低揮発性有機溶剤の具体例としては、以下のものが挙げられる。
エチレングリコール、ジエチレングリコール、トリエチレングリコール、プロピレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；
エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；
エチレングリコールモノフェニルエーテル、エチレングリコールモノベンジルエーテル等の多価アルコールアリールエーテル類；
２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；
ホルムアミド、Ｎ−メチルホルムアミド、Ｎ，Ｎ−ジメチルホルムアミド等のアミド類；
モノエタノールアミン、ジエタノールアミン、トリエタノールアミン、モノエチルアミン、ジエチルアミン、トリエチルアミン等のアミン類；
ジメチルスルホキシド、スルホラン、チオジエタノール等の含硫黄化合物類；
プロピレンカーボネート、炭酸エチレン等である。
【００３２】
これら有機溶媒の中でも、特にジエチレングリコール、チオジエタノール、ポリエチレングリコール２００乃至６００、トリエチレングリコール、グリセロール、１，２，６−ヘキサントリオール、１，２，４−ブタントリオール、ペトリオール、１，５−ペンタンジオール、２−ピロリドン、Ｎ−メチル−２−ピロリドン、１，３−ブタンジオールが好ましい。これらは溶解性と水分蒸発による噴射特性不良の防止に対して優れた効果が得られる。
【００３３】
その他の湿潤剤としては、糖を含有してなるのが好ましい。糖類の例としては、単糖類、二糖類、オリゴ糖類（三糖類及び四糖類を含む）及び多糖類が挙げられ、好ましくはグルコース、マンノース、フルクトース、リボース、キシロース、アラビノース、ガラクトース、マルトース、セロビオース、ラクトース、スクロース、トレハロース、マルトトリオースなどが挙げられる。ここで、多糖類とは広義の糖を意味し、α−シクロデキストリン、セルロースなど自然界に広く存在する物質を含む意味に用いることとする。
【００３４】
また、これらの糖類の誘導体としては、前記した糖類の還元糖（例えば、糖アルコール（一般式ＨＯＣＨ２（ＣＨＯＨ）ｎＣＨ２ＯＨ（ここでｎ＝２乃至５の整数を表わす。）で表わされる。）、酸化糖（例えば、アルドン酸、ウロン酸など）、アミノ酸、チオ酸などが挙げられる。特に、糖アルコールが好ましく、具体例としてはマルチトール、ソルビットなどが挙げられる。
これら糖類の含有量は、インク組成物の０．１乃至４０重量％、好ましくは０．５乃至３０重量％の範囲が適当である。
【００３５】
また、着色材含有インク中には紙への浸透性を向上させるために表面張力を下げる各種の界面活性剤が含有されていてよい。アニオンまたはノニオン系界面活性剤は特に限定されないが、アニオン性界面活性剤としては、例えば、ポリオキシエチレンアルキルエーテル酢酸塩、ドデシルベンゼンスルホン酸塩、ラウリル酸塩、ポリオキシエチレンアルキルエーテルサルフェートの塩などが挙げられる。
【００３６】
非イオン性界面活性剤としては、例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられる。
【００３７】
アセチレングリコール系界面活性剤としては、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えばエアープロダクツ社（米国）のサーフィノール１０４、８２、４６５、４８５あるいはＴＧなど）を用いることができるが、特にサーフィノール４６５、１０４やＴＧが良好な印字品質を示す。
前記界面活性剤は、単独または二種以上を混合して用いることができる。
【００３８】
本発明に用いる炭素数８以上１１以下のポリオールまたはグリコールエーテルは、２５℃の水中において０．１乃至４．５重量％未満の間の溶解度を有する部分的に水溶性のポリオール及び／またはグリコールエーテルを記録用インク全重量に対して０．１乃至１０．０重量％添加することによって、該インクの熱素子への濡れ性が改良され、少量の添加量でも吐出安定性及び周波数安定性が得られることが分かった。
（１）２−エチル−１，３−ヘキサンジオール  溶解度：４．２％（２０℃）、
（２）２，２，４−トリメチル−１，３−ペンタンジオール  溶解度：２．０％（２５℃）、
【００３９】
２５℃の水中において０．１乃至４．５重量％未満の間の溶解度を有する浸透剤は溶解度が低い代わりに浸透性が非常に高いという長所がある。従って、２５℃の水中において０．１乃至４．５重量％未満の間の溶解度を有する浸透剤と他の溶剤との組み合わせや他の界面活性剤との組み合わせで非常に高浸透性のインクを作製することが可能となる。
【００４０】
本発明で使用可能なインクジェット記録用インク組成物は、前記の各成分を含有するが、その他に従来公知の各種添加剤、例えば、前記液状湿潤剤以外の水溶性有機溶媒、各種の分散剤、粘度調整剤、及び／又は蛍光増白剤等を必要に応じて含有することができる。粘度調整剤としては、例えば、セルロース類、ポリビニルピロリドン、ポリビニルアルコール、水溶性樹脂等の水溶性の天然又は合成高分子化合物を挙げることができる。更に、ｐＨ調整剤としての緩衝液、防カビ剤等を含有することもできる。
【００４１】
例えば、防腐防黴剤としてはデヒドロ酢酸ナトリウム、ソルビン酸ナトリウム、２−ピリジンチオール−１−オキサイドナトリウム、安息香酸ナトリウム、ペンタクロロフェノールナトリウム等が本発明に使用できる。
【００４２】
ｐＨ調整剤としては、調合されるインクに悪影響をおよぼさずにｐＨを７以上に調整できるものであれば、任意の物質を使用することができる。
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００４３】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【００４４】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。
その目的に応じて水溶性紫外線吸収剤、水溶性赤外線吸収剤等を添加することができる。
【００４５】
また、比抵抗調整剤、例えば、無機塩類、例えば、アルカリ金属ハロゲン化物又はハロゲン化アンモニウム（例えば、塩化リチウム、塩化アンモニウム、塩化ナトリウム）等を含有させることにより、記録液を帯電するタイプのインクジェット記録方法に使用される記録液を調製することができる。
【００４６】
なお、前記の各成分の配合比を調整して、熱的な物性値（蒸発熱、沸点、融点、比熱、熱膨張係数、及び／又は熱伝導率等）を調整することにより、熱エネルギーの作用によって記録液を吐出させるタイプのインクジェット記録方法に適応するインク組成物を調製することもできる。
【００４７】
また、本発明のインク組成物の粘度を、好ましくは２０ｍＰａ・ｓ以下、より好ましくは１５ｍＰａ・ｓ以下に調整し、ヘッドからの安定吐出、及びヘッドへの安定なインク供給を確保することができる。
【００４８】
本発明で使用可能なインクジェット記録用インク組成物は、前記の各配合成分を任意の順序で適宜混合し、溶解（又は分散）させた後、不純物などを濾過して除去することにより、調製することができる。また、着色剤を適宜選択し、更に必要により、選択された前記着色剤との組み合わせで他の配合成分を適宜選択し、カラーインクジェット記録用の本発明によるイエローインク組成物、マゼンタインク組成物、シアンインク組成物、ブラックインク組成物、ブルーインク組成物、グリーンインク組成物、又はレッドインク組成物を調製することができる。
【００４９】
次に、非可視化液として多価金属塩を含有する処理液について記す。これは特開昭６３−２９９９７０号公報に記載されたものが使用可能である。多価金属塩を有する処理液は裏抜けを非可視化するほか、フェザリング防止、定着機能も有する。
この多価金属塩における陽イオンの例としては、アルミニウムＡｌ（III）、カルシウムＣａ（II）、マグネシウムＭｇ（II）、銅Ｃｕ（II）、鉄Ｆｅ（II）及びＦｅ（III）、亜鉛Ｚｎ（II）、スズＳｎ（II）及びＳｎ（IV）、ストロンチウムＳｒ（II）、ニッケルＮｉ（II）、コバルトＣｏ（II）、バリウムＢａ（II）、鉛Ｐｂ（II）、ジルコニウムＺｒ（IV）、チタンＴｉ（IV）、アンチモンＳｂ（III）、ビスマスＢｉ（III）、タンタルＴａ（Ｖ）、砒素Ａｓ（III）、セリウムＣｅ（III）、ランタンＬａ（III）、イットリウムＹ（III）、水銀Ｈｇ（II）、ベリリウムＢｅ（II）などが挙げられ、中でも色調（無色に近いもの）、コスト、安全性などを考慮するとＡｌ（III）、Ｃａ（II）、Ｍｇ（II）、Ｚｎ（II）、Ｆｅ（II）、Ｆｅ（III）、Ｓｎ（II）、Ｓｎ（IV）が特に好ましい。
これらの多価金属イオンの他、アルカリ金属、アンモニウム、水素などの一価の陽イオンを含む複塩を使用することもできる。
【００５０】
陰イオンの例としては、フッ素Ｆ、塩素Ｃｌ、臭素Ｂｒ、沃素Ｉなどのハロゲン元素の陰イオン；硝酸イオンＮＯ３−、硫酸イオンＳＯ４２−；蟻酸、酢酸、乳酸、マロン酸、蓚酸、マレイン酸、安息香酸など有機カルボン酸の陰イオン；ベンゼンスルフォン酸、ナフトールスルフォン酸、アルキルベンゼンスルフォン酸などの有機スルフォン酸の陰イオン；チオシアンイオンＳＣＮ−、チオ硫酸イオンＳ２Ｏ３２−、リン酸イオンＰＯ４３−、亜硝酸イオンＮＯ２−等が挙げられる。
【００５１】
多価金属塩含有溶液をインクジェット法により記録媒体に付着せしめるには、ノズルの目詰り、保存性などを配慮して、多価金属の塩を水及び／又は有機溶媒（メタノール、エタノール等のアルコール類；アセトン、メチルエチルケトン等のケトン類など）によく溶解したものを用いるのが有利である。
【００５２】
各溶液に対する溶解性は陰イオンの効果が大きく、Ｂｒ−、Ｉ−、ＮＯ３−および有機酸のイオンが上記の陰イオンの中で特に溶解性に優れ、好ましい例である。
【００５３】
非可視化用処理剤としてはその他、金属酸化物を加えたものがある。
酸化チタン、酸化ケイ素、酸化ジルコニウムなどの分散液である。粒径は０．６μｍ以下でコロイド状のものも使用可能である。また、ポリアリルアミンのようなカチオン性化合物も添加可能である。これは画像部にも付与できて定着機能、フェザリング防止機能を有する。これらはアクリル樹脂などの白色の水溶性樹脂と併用して用いてもよい。
【００５４】
【実施例】
以下、本発明で使用される処理液を実施例にて具体的に説明するが、本発明はこれらに限定されるものではない。なお、実施例に記載の各成分の量（％）は重量基準である。
・処理液実施例
下記処方の非可視化処理液▲１▼を作成した。
＜処理液▲１▼＞
硝酸マグネシウム六水和物                                    １５％
グリセリン                                                    ５％
１，３−ブタンジオール                                      １５％
２−エチル−１，３−ヘキサンジオール                          ２％
ポリオキシアルキレン誘導体デイスパノールＴＯＣ（日本油脂製）  １％
プロキセルＬＶ（防腐剤）                                  ０．２％
イオン交換水                                                残量
水酸化リチウムでｐＨを約８にした。
この処理液は裏抜け防止効果及び紙面上の汚れに対して遮蔽効果があることを確認した。
【００５５】
【発明の効果】
以上、詳細且つ具体的な説明より明らかなように、本発明により紙面上の汚れあるいは裏抜けを非可視化し、高画質な画像が提供可能となる。また、記録媒体に予め定められた画像情報を読み取りそれに応じた画像を印写する方法の提供が可能となる。
【図面の簡単な説明】
【図１】本発明のインクジェット記録装置の概略構成図を示した図である。
【図２】本発明のインクジェット記録装置の概略構成図を示した他の図である。
【図３】記録ヘッド部分を示した図である。
【図４】各記録ヘッドの拡大図である。
【図５】本発明のインクジェット記録装置の制御部の概要を説明する図である。
【図６】本発明のインクジェット記録方法について説明する図である。
【図７】記録ヘッド部分を示した他の図である。
【図８】記録媒体の画像が書式か否かの判断のフローチャートである。
【符号の説明】
１  側板
２  側板
３  ガイドロッド
４  ガイド板
５  キャリッジ
６  記録ヘッド
Ｙ  画像記録装置
Ｕ  非可視化処理液
Ｃ  シアンインク
Ｍ  マゼンタインク
Ｙ  イエローインク
Ｋ  ブラックインク
６ｕ  非可視化処理液吐出ヘッド
６ｃ  シアンインク吐出ヘッド
６ｍ  マゼンタインク吐出ヘッド
６ｙ  イエローインク吐出ヘッド
６ｂ  ブラックインク吐出ヘッド
７  インクタンク（インクカートリッジ）
８  記録ノズル
１０  液室
１１  液室形成部材
１２  ノズル形成部材
１３  インク滴
１５  主走査モータ
１６  駆動プーリー
１７  従動プーリー
１８  タイミングベルト
２０  用紙
２１  プラテンローラ
２２  給紙ローラ
２３  給紙ローラ
２４  ピンチローラ
２５  ガイド板
２６  排紙ローラ
２７  用紙押え用拍車ローラ
２８  副走査モータ
２９  ギヤ
３０  ギヤ
３１  ギヤ
３２  プラテンギヤ
３３  給紙部
３４  ギヤ
３５  信頼性維持回復機構（サブシステム）
４０  ＣＰＵ
４１  ＲＯＭ
４２  ＲＡＭ
４３  パラレル入出力（ＰＩＯ）ポート
４４  入力バッファ
４５  キャラクタジェネレータ
４６  改行カウンタ
４７  ダイレクトメモリアクセスコントローラ（ＤＭＡＣ）
４８  １ライン出力バッファ
４９  パラレル入出力（ＰＩＯ）ポート、ゲートアレー（ＧＡ）
５０  共通（Ｃｏｍ）ドライバ
５１  ドライバ
５２  モータドライバ
５３  操作パネル（オペレーションパネル）
【図１】
0003992219.tif 000002
【図２】
0003992219.tif 000003
【図３】
0003992219.tif 000004
【図４】
0003992219.tif 000005
【図５】
0003992219.tif 000006
【図６】
0003992219.tif 000007
【図７】
0003992219.tif 000008
【図８】
0003992219.tif 000009